(57)【要約】【課題】部品点数を削減して無負荷検知回路と管電圧検知回路を構成した放電灯点灯装置を提供する。【解決手段】インダクタ５０と放電灯６０の中点に分圧抵抗７２・７４・７６を接続して、分圧抵抗７２・７４の中点へ無負荷検知回路８０を接続し、前記分圧抵抗７４・７６の中点へ管電圧検知回路を接続することにより、分圧抵抗を共用することができるので部品点数を削減することができる。【選択図】　　図１
2004127876.tif 000002
【特許請求の範囲】
【請求項１】
直列一対のアーム用コンデンサ（２２・２４）を備え、順直列一対のスイッチング素子（３２・３４）を備え、前記各スイッチング素子（３２・３４）と逆並列に接続するフライホイールダイオード（４２・４４）を備え、前記面アーム用コンデンサ（２２・２４）と前記両スイッチング素子（３２・３４）とをブリッジ形に結線してハーフブリッジ形インバータ回路を形成し、前記両スイッチング素子（３２・３４）間の中点へ一端を接続するインダクタ（５０）を備え、前記インダクタ（５０）の他端に接続する放電灯（６０）を備え、前記放電灯（６０）と並列に接続する予熱用コンデンサ（６２）と第一抵抗（６４）を備え、前記アーム用コンデンサ（２２）と並列に接続する第二抵抗（６６）を備え、前記アーム用コンデンサ（２２・２４）の中点に前記放電灯（６０）の他端を接続し、直流電源（１０）を備え、前記直流電源（１０）の正極側に前記両スイッチング素子（３２・３４）回路の正極側端子を接続し、前記直流電源（１０）の負極側に前記両スイッチング素子（３２・３４）回路の負極側端子を接続し、前記インダクタ（５０）と放電灯（６０）の中点に接続する分圧抵抗（７２・７４・７６）の直列回路を備え、前記分圧抵抗（７２・７４）の中点へ陽極側を接続する整流ダイオード（８１）を備え、前記整流ダイオード（８１）の陰極側に接続する平滑コンデンサ（８２）と放電抵抗（８３）の並列回路と陰極側を接続する逆阻止ダイオード（８４）を備え、前記逆阻止ダイオード（８４）の陽極側に接続する無負荷保護回路（８５）を備え、前記平滑コンデンサ（８２）と放電抵抗（８３）の並列回路の他端を前記直流電源（１０）の負極側に接続し、前記分圧抵抗（７４・７６）の中点へ陽極側を接続する整流ダイオード（９１）を備え、前記整流ダイオード（９１）の陰極側に接続する平滑コンデンサ（９２）と放電抵抗（９３）の並列回路と陰極側を接続する定電圧ダイオード（９４）を備え、前記定電圧ダイオード（９４）の陽極側に接続するランプ寿命末期保護回路（９５）を備え、前記分圧抵抗（７６）、平滑コンデンサ（９２）と放電抵抗（９３）の並列回路の他端を前記直流電源（１０）の負極側端子に接続することを特徴とする放電灯点灯装置。
【発明の詳細な説明】
【０００１】
【発明の属する技術分野】
本発明は放電灯点灯装置のランプ寿命末期保護回路及び無負荷保護回路に関するものである。
【０００２】
【従来の技術】
図２を用いて従来例について説明する。図２の放電灯点灯装置は、直列一対のアーム用コンデンサ２２・２４を備え、順直列一対のスイッチング素子３２・３４を備え、前記各スイッチング素子３２・３４と逆並列に接続するフライホイールダイオード４２・４４を備え、前記両アーム用コンデンサ２２・２４と前記面スイッチング素子３２・３４とをブリッジ形に結線してハーフブリッジ形インバータ回路を形成し、前記両スイッチング素子３２・３４間の中点へ一端を接続するインダクタ５０を備え、
前記インダクタ５０の他端に接続する放電灯６０を備え、前記放電灯６０と並列に接続する予熱用コンデンサ６２と第一抵抗６４を備え、前記アーム用コンデンサ２２と並列に接続する第二抵抗６６を備え、前記アーム用コンデンサ２２・２４の中点に前記放電灯６０の他端を接続し、
直流電源１０を備え、前記直流電源１０の正極側に前記面スイッチング素子３２・３４回路の正極側端子を接続し、前記直流電源１０の負極側に前記両スイッチング素子３２・３４回路の負極側端子を接続し、
前記インダクタ５０と放電灯６０の中点に接続する無負荷検知回路８０を備え、前記無負荷検知回路８０と並列に接続する管電圧検知回路９０を備え、前記無負荷検知回路８０は直列接続された分圧抵抗８６・８７の中点へ陽極側を接続する整流ダイオード８１を備え、前記整流ダイオード８１の陰極側に接続する平滑コンデンサ８２と放電抵抗８３の並列回路と陰極側を接続する逆阻止ダイオード８４を備え、前記逆阻止ダイオード８４の陽極側に接続する無負荷保護回路８５を備え、前記平滑コンデンサ８２と放電抵抗８３の並列回路と前記分圧抵抗８７の他端を前記直流電源１０の負極側に接続し、前記管電圧検知回路９０は直列接続された分圧抵抗９６・９７の中点へ陽極側を接続す．る整流ダイオード９１を備え、前記整流ダイオード９の陰極側に接続する平滑コンデンサ９２と放電抵抗９３の並列回路と陰極側を接続する定電圧ダイオード９４を備え、前記定電圧ダイオード９４の陽極側に接続するランプ寿命末期保護回路９５を備え、平滑コンデンサ９２と放電抵抗９３の並列回路と前記分圧抵抗９７の他端を前記直流電源１０の負極側に接続する。
【０００３】
この回路の動作について説明する。前記各スイッチング素子３２・３４が交互にオン・オフすることで前記放電灯６０は点灯する。前記放電灯６０点灯中はＡ点には放電灯６０の管電圧相当のピーク電圧が発生している。この時、管電圧検知回路９０のＢ点には分圧抵抗９６・９７で分圧され、整流ダイオード９１と平滑コンデンサ９２によって整流・平滑された定電圧ダイオード９４のブレーク電圧以下の電圧が発生し、無負荷検知回路８０のＣ点には分圧抵抗８６・８７で分圧され、整流ダイオード８１と平滑コンデンサ８２によって整流・平滑された電圧が発生する。
放電灯６０が寿命末期になるとＡ点の電圧は上昇するため、管電圧検知回路９０のＢ点の電圧が定電圧ダイオード９４のブレーク電圧を超えてランプ寿命末期保護回路９５が動作する。
放電灯６０を外したときなどの無負荷状態の時は、Ａ点には電圧が発生しないため無負荷検知回路８０のＣ点にも電圧が発生しなくなり無負荷保護回路８５が動作する。
【０００４】
【発明が解決しようとする課題】
前記従来装置は無負荷検知回路と管電圧検知回路が別回路になっているため部品点数が多くなってしまう。
本発明の目的は部品点数を削減して無負荷検知回路と管電圧検知回路を構成した放電灯点灯装置を提供することである。
【０００５】
【課題を解決するための手段】
本発明は、前記インダクタ５０と放電灯６０の中点に分圧抵抗７２・７４・７６を接続して、前記分圧抵抗７２・７４の中点へ無負荷検知回路８０を接続し、前記分圧抵抗７４・７６の中点へ管電圧検知回路を接続することにより、分圧抵抗を共用することができるので部品点数を削減することができる。
【０００６】
【発明の実施の形態】
図１を用いて本発明の実施形態について説明する。図１の放電灯点灯装置は、直列一対のアーム用コンデンサ２２・２４を備え、順直列一対のスイッチング素子３２・３４を備え、前記各スイッチング素子３２・３４と逆並列に接続するフライホイールダイオード４２・４４を備え、前記両アーム用コンデンサ２２・２４と前記両スイッチング素子３２・３４とをブリッジ形に結線してハーフブリッジ形インバータ回路を形成し、前記両スイッチング素子３２・３４間の中点へ一端を接続するインダクタ５０を備え、前記インダクタ５０の他端に接続する放電灯６０を備え、前記放電灯６０と並列に接続する予熱用コンデンサ６２と第一抵抗６４を備え、前記アーム用コンデンサ２２と並列に接続する第二抵抗６６を備え、前記アーム用コンデンサ２２・２４の中点に前記放電灯６０の他端を接続し、
直流電源１０を備え、前記直流電源１０の正極側に前記両スイッチング素子３２・３４回路の正極側端子を接続し、前記直流電源１０の負極側に前記両スイッチング素子３２・３４回路の負極側端子を接続し、前記インダクタ５０と放電灯６０の中点に接続する分圧抵抗７２・７４・７６の直列回路を備え、前記分圧抵抗７２・７４の中点に無負荷検知回路８０を備え、前記分圧抵抗７４・７６の中点に管電圧検知回路９０を備え、
前記無負荷検知回路８０は前記分圧抵抗７２・７４の中点へ陽極側を接続する整流ダイオード８１を備え、前記整流ダイオード８１の陰極側に接続する平滑コンデンサ８２と放電抵抗８３の並列回路と陰極側を接続する逆阻止ダイオード８４を備え、前記逆阻止ダイオニド８４の陽極側に接続する無負荷保護回路８５を備え、前記平滑コンデンサ８２と放電抵抗８３の並列回路の他端を前記直流電源１０の負極側に接続し、
前記管電圧検知回路９０は前記分圧抵抗７４・７６の中点へ陽極側を接続する整流ダイオード９１を備え、前記整流ダイオード９１の陰極側に接続する平滑コンデンサ９２と放電抵抗９３の並列回路と陰極側を接続する定電圧ダイオード９４を備え、前記定電圧ダイオード９４の陽極側に接続するランプ寿命末期保護回路９５を備え、前記分圧抵抗７６、平滑コンデンサ９２と放電抵抗９３の並列回路の他端を前記直流電源１０の負極側端子に接続する。
【０００７】
この回路の動作について説明する。放電灯６０点灯時は前記管電圧検知回路９０のＢ点には前記分圧抵抗７２・７４と前記分圧抵抗７６で分圧され、整流ダイオード９１と平滑コンデンサ９２によって整流・平滑された定電圧ダイオード９４のブレーク電圧以下の電圧しか発生しないため、ランプ寿命末期保護回路９５は動作しない。また、前記無負荷検知回路８０のＣ点には前記分圧抵抗７２と前記分圧抵抗７４・７６で分圧され、整流ダイオード８１と平滑コンデンサ８２によって整流・平滑された電圧が発生するため前記無負荷保護回路８５は動作しない。
放電灯６０がランプ寿命末期の時は前記管電圧検知回路９０のＢ点には定電圧ダイオード９４のブレーク電圧以上の電圧が発生し、前記ランプ寿命末期保護回路９５が動作する。この時前記無負荷検知回路８０のＣ点には電圧が発生しているため前謡無負荷保護回路８５は動作しない。
放電灯６０を外した時などの無負荷状態の時は、前記無負荷検知回路８０のＣ点には電圧が発生しないため前記無負荷保護回路８５が動作する。この時前記管電圧検知回路のＢ点には電圧が発生していないため前記ランプ寿命末期保護回路９５は動作しない。
以上のように無負荷保護回路８５、ランプ寿命末期保護回路９５とも動作させることができる。
【０００８】
【発明の効果】
本発明は、無負荷検知回路と管電圧検知回路の分圧抵抗を共用できるため部品点数を削減した回路構成とすることができる。
【図面の簡単な説明】
【図１】本発明装置の回路図である。
【図２】従来装置の回路図である。
【符号の説明】
１０：直流電源
２２・２４：アーム用コンデンサ
３２・３４：スイッチング素子
４２・４４：フライホイールダイオード
５０：インダクタ
６０：放電灯
６２：予熱コンデンサ
６４・６６：抵抗
７２・７４・７６：分圧抵抗
８０：無負荷検知回路
８１：整流ダイオード
８２：平滑コンデンサ
８３：放電抵抗
８４：逆素子ダイオード
８５：無負荷保護回路
９０：管電圧検知回路
９１：整流ダイオード
９２：平滑コンデンサ
９３：放電抵抗
９４：定電圧ダイオード
９５：ランプ寿命末期保護回路
【図１】
2004127876.tif 000003
【図２】
2004127876.tif 000004